(57)【要約】  独立した第１及び第２情報信号（コンテンツ１及び２）が、分離した独立した物理チャネルを介し受信位置に送信される、符号化信号（１’，．．．，Ｎ’）を生成するため、第２情報により少なくとも第１情報を符号化することによって（１２ａ）、セキュリティが提供される。符号化信号と第２信号が、第２位置（２３０）において第１及び第２チャネルから受信される。符号化された第１信号は、第２信号により処理することによって、受信位置において復号化される。一部の実施例では、第２情報信号は、第１情報信号による処理により符号化される。より一般的なケースでは、複数の情報チャネルが、複数の他のチャネルの情報により「クロス符号化」され、この複数は大きなものであってもよい。
2007528667.tif 000002
【特許請求の範囲】
【請求項１】
第１チャネルを介し第１位置から第２位置に第１情報をセキュアに送信する方法であって、
前記第１及び第２位置において、前記第１情報から独立した第２及び付加情報を取得するステップと、
前記第１位置と第２位置の両方において、前記第２及び付加情報を時間整列するステップと、
前記第１位置において、送信用の送信機信号を生成するため、第１関数によって前記第１情報と前記第２及び付加情報とを関連付けるステップと、
第１信号チャネルを介し前記第１位置から前記第２位置に前記送信機信号を送信するステップと、
前記第２位置において、前記第１情報を復元するため、前記第１関数のリバースである第２関数により前記送信機信号と前記第２及び付加情報とを関連付けるステップと、
を有することを特徴とする方法。
【請求項２】
請求項１記載の方法であって、
前記第１及び第２関数は、ＸＯＲ関数であることを特徴とする方法。
【請求項３】
請求項１記載の方法であって、
前記第２位置において前記第２及び付加情報を取得するステップは、独立した各信号チャネルを介し前記第２及び付加情報を受信するステップを有することを特徴とする方法。
【請求項４】
請求項１記載の方法であって、
前記第２及び付加情報の少なくとも一部は、前記第１位置から前記第２位置に送信されることを特徴とする方法。
【請求項５】
請求項４記載の方法であって、
前記第１位置から前記第２位置に前記第２及び付加情報の少なくとも一部を送信するステップは、前記第１信号チャネルから独立した少なくとも１つの信号チャネルを介し実行されることを特徴とする方法。
【請求項６】
請求項４記載の方法であって、
前記第１位置から前記第２位置に前記第２及び付加情報の少なくとも一部を送信するステップは、前記第２及び付加情報のそれぞれについて前記第１信号チャネルから独立した１つの信号チャネルを介し前記第２及び付加情報のそれぞれを送信することによって実行されることを特徴とする方法。
【請求項７】
請求項６記載の方法であって、
前記第２位置において、前記送信機信号を前記第２及び付加情報と第２関数により関連付けるステップは、前記第２及び付加情報のそれぞれに対する前記第１信号をチャネルを含む複数のチャネルを同時に受信することが可能な受信機と協力して実行されることを特徴とする方法。
【請求項８】
第１位置から第２位置に第１及び第２情報をセキュアに送信する方法であって、
処理された第１情報を生成するため、少なくとも前記第２情報により前記第１情報を処理するステップと、
処理された第２情報を生成するため、少なくとも前記第１情報により前記第２情報を処理するステップと、
前記処理された第１及び第２情報をそれぞれ独立した第１及び第２チャネルを介し前記第２位置に送信するステップと、
前記第２位置において、少なくとも前記処理された第２情報を使用することにより前記処理された第１情報を逆処理し、少なくとも前記処理された第１情報を使用することにより前記処理された第２情報を逆処理するステップと、
を有することを特徴とする方法。
【請求項９】
請求項８記載の方法であって、
前記第２位置において、少なくとも前記処理された第２情報を使用することにより前記処理された第１情報を逆処理するステップは、前記独立した第１チャネルから前記処理された第１情報を独立に受信し、前記独立した第２チャネルから前記処理された第２情報を独立に受信するステップを有することを特徴とする方法。
【請求項１０】
請求項８記載の方法であって、
前記第２位置において、前記処理された第１及び第２情報を逆処理するステップは、集積回路受信構成により、前記独立した第１チャネルから前記処理された第１情報と、前記独立した第２チャネルから前記処理された第２情報とを受信するステップを有することを特徴とする方法。
【請求項１１】
独立した第１物理チャネルを介し処理された形式により受信される少なくとも第１情報を同時に復元する受信機であって、
前記第１物理チャネルを介し送信される第１情報は、第２情報と共に処理され、
前記第２情報は、独立した第２チャネルを介し当該受信機に送信され、
当該受信機は、
前記第１物理チャネルから前記処理された第１情報を受信する手段と、
前記独立した第２チャネルから前記第２情報を受信する手段と、
前記処理された第１情報と前記第２情報から前記第１情報を抽出するため、前記第２情報と共に前記処理された第１情報を処理する処理手段と、
を有することを特徴とする受信機。
【請求項１２】
請求項１１記載の受信機であって、
前記独立した第２チャネルを介し送信される第２情報は、前記第１情報による処理による送信前に処理され、
当該受信機はさらに、前記第１情報による処理前に、前記第２情報の形式に関する情報を抽出するため、前記第２情報により前記処理された第１情報を処理するさらなる処理手段を有する、
ことを特徴とする受信機。
【請求項１３】
請求項１１記載の受信機であって、
当該受信機は、１つの集積回路内にあることを特徴とする受信機。
【請求項１４】
請求項１２記載の受信機であって、
当該受信機は、１つの集積回路内にあることを特徴とする受信機。
【請求項１５】
第１位置から第２位置に第１及び第２情報ストリームをセキュアに送信する方法であって、
処理された第１情報ストリームを生成するため、少なくとも前記第２情報ストリームによって前記第１情報ストリームを処理するステップと、
処理された第２情報ストリームを生成するため、少なくとも前記第１情報ストリームによって前記第２情報ストリームを処理するステップと、
前記処理された第１及び第２情報ストリームをそれぞれ独立した第１及び第２チャネルを介し前記第２位置に別々に送信するステップと、
前記第２位置において、少なくとも前記処理された第２情報ストリームを使用することにより前記処理された第１情報ストリームを逆処理し、少なくとも前記処理された第１情報ストリームを使用することにより前記処理された第２情報ストリームを逆処理するステップと、
を有することを特徴とする方法。
【請求項１６】
請求項１５記載の方法であって、
前記第２位置において、少なくとも前記処理された第２情報ストリームを使用することにより前記処理された第１情報ストリームを逆処理するステップは、前記独立した第１チャネルから前記処理された第１情報ストリームを独立に受信し、前記独立した第２チャネルから前記処理された第２情報ストリームを独立に受信するステップを有することを特徴とする方法。
【請求項１７】
請求項１５記載の方法であって、
前記第２位置において、前記処理された第１及び第２情報ストリームを逆処理するステップは、集積回路受信構成により、前記独立した第１チャネルから前記処理された第１情報ストリームと、前記独立した第２チャネルから前記処理された第２情報ストリームとを受信するステップを有することを特徴とする方法。
【請求項１８】
請求項１５記載の方法であって、さらに、
前記第２位置に送信される第３情報ストリームを有し、
前記処理された第１情報ストリームを生成するため、少なくとも前記第２情報ストリームにより前記第１情報ストリームを処理するステップは、前記第２及び第３情報ストリームによって前記第１情報ストリームを処理するステップを有し、
前記処理された第２情報ストリームを生成するため、少なくとも前記第１情報ストリームにより前記第２情報ストリームを処理するステップは、前記第１及び第３情報ストリームによって前記第２情報ストリームを処理するステップを有し、
さらに、
処理された第３情報ストリームを生成するため、少なくとも前記第１及び第２情報ストリームにより前記第３情報ストリームを処理するステップと、
前記第１及び第２チャネルから独立した第３チャネルを介し前記処理された第１及び第２情報ストリームとは別に、前記処理された第３情報ストリームを前記第２位置に送信するステップと、
前記第２位置において、少なくとも前記処理された第１及び第２情報ストリームを使用することにより前記処理された第３情報ストリームを逆処理するステップと、
を有する、
ことを特徴とする方法。
【請求項１９】
請求項１８記載の方法であって、
前記第２位置において、少なくとも前記処理された第２情報ストリームを使用することにより前記処理された第１情報ストリームを逆処理し、少なくとも前記処理された第１情報ストリームを使用することにより前記処理された第２情報ストリームを逆処理するステップは、少なくとも前記処理された第２及び第３情報を使用することにより前記処理された第１情報を逆処理し、少なくとも前記処理された第１及び第３情報ストリームを使用することにより前記処理された第２情報を逆処理することによって実行されることを特徴とする方法。
【請求項２０】
独立した第１物理チャネルを介し処理された形式により受信される少なくとも第１情報ストリームを同時に復元する受信機であって、
前記第１物理チャネルを介し送信される第１情報ストリームは、少なくとも第２情報ストリームと共に処理され、
前記第２情報ストリームは、独立した第２チャネルを介し当該受信機に送信され、
当該受信機は、
前記第１物理チャネルから前記処理された第１情報ストリームを受信する手段と、
前記独立した第２チャネルから前記第２情報ストリームを受信する手段と、
前記処理された第１情報ストリームと前記第２情報ストリームから前記第１情報ストリームを抽出するため、前記第２情報ストリームと共に前記処理された第１情報ストリームを処理する処理手段と、
を有することを特徴とする受信機。
【請求項２１】
請求項２０記載の受信機であって、
前記独立した第２チャネルを介し送信される第２情報ストリームは、前記第１情報ストリームによる処理による送信前に処理され、
当該受信機はさらに、前記第１情報ストリームによる処理前に、前記第２情報ストリームの形式に関する情報を抽出するため、前記第２情報ストリームにより前記処理された第１情報ストリームを処理するさらなる処理手段を有する、
ことを特徴とする受信機。
【請求項２２】
請求項２０記載の受信機であって、
当該受信機は、１つの集積回路内にあることを特徴とする受信機。
【請求項２３】
請求項２１記載の受信機であって、
当該受信機は、１つの集積回路内にあることを特徴とする受信機。
【請求項２４】
第１位置から第２位置に複数の異なる情報ストリームを送信する方法であって、
前記第１位置において、複数の処理された情報ストリームを生成するため、少なくとも前記情報ストリームの３より多い複数のもののそれぞれを、少なくとも前記情報ストリームの３より多い複数の他のものにより処理するステップと、
前記第１位置から前記第２位置に独立したチャネルを介し前記複数の処理された情報ストリームを送信するステップと、
前記複数の異なる情報ストリームの少なくとも一部を復元するため、前記第２位置において、前記複数の処理された情報ストリームのそれぞれを、前記処理された情報ストリームの他のものにより逆処理するステップと、
を有することを特徴とする方法。
【発明の詳細な説明】
【発明の詳細な説明】
【０００１】
［発明の技術分野］
本発明は、情報の符号化に関し、より詳細には、ある位置への第１チャネルを探索する第１情報を当該位置への第２チャネルを探索する第２情報によって符号化することに関する。
［発明の背景］
現在のテレビ及び／又はラジオサービスは、しばしばプログラムコンテンツに対するペイ・パー・ユース又は制限付きアクセスを提供する。コンテンツを受信する権利について料金を支払っていない顧客は、コンテンツを含む信号を符号化及びしばしば暗号化によって受信することを妨げられる。「符号化」という用語は、ここでは符号化、スクランブル化及び暗号化に使用され、「復号化」という用語は、復号化、スクランブル解除及び解読に使用される。支払をした顧客は、使用するため符号化されたコンテンツを復号できるように、復号化キーを受信する。
【０００２】
残念なことに、一部の人々は、符号化された信号を受信し、オンライン又はオフラインによりキーを抽出し、これにより、コンテンツを使用するための料金の支払を回避するするかもしれない。図１は、１人の加入者を含むケーブルテレビシステム１０の簡略化されたブロック図である。図１のシステムでは、ペイ・パー・ビューとして利用可能にされる映像又は音楽コンテンツ１がエンコーダ１２ａに印加される。エンコーダ１２ａは、符号化された第１コンテンツを生成するため、入力ポート１２ａｉに印加されるキー生成装置１４ａによって生成されるキーを用いてコンテンツを符号化する。エンコーダ１２ａによって生成された符号化された第１コンテンツは、周波数ｆ１を中心とする一意的な周波数範囲又はチャネルに周波数を変換する周波数アップコンバータ１６ａに印加される。すべての加入者に利用可能にされる第２コンテンツ２は、符号化されていないコンテンツを第２の一意的な周波数範囲に変換する第２周波数アップコンバータ１６ｂに直接印加される。図１のシステム１０は、他の周波数アップコンバータを有し、エンコーダ１２ａに使用されるものと同一のキーであってもよいし、あるいは、生成装置１４Ｎからの異なるキーであってもよい、それの符号化入力ポート１２Ｎｉに印加されるキーによって、コンテンツＮを符号化するエンコーダ１２Ｎなどの他のエンコーダを有するようにしてもよい。エンコーダ１４Ｎの符号化された出力は、その他の周波数範囲と異なる周波数範囲ｆＮへの変換のため、アップコンバータ１６Ｎに印加される。周波数ｆ１、ｆ２、．．．、ＦＮ上で符号化された信号及び符号化されていない信号が、システムテレビ送信パス又はライン２０（同軸ケーブル又は光ファイバであってもよい）である１つのパスにこれらの信号を合成する周波数センシティブ合成装置１８に印加される。
【０００３】
様々な周波数ｆ１、ｆ２、．．．、ｆＮの多数のキャリアが、ケーブル２０を介し加入者に送信される。ケーブルシステム１０の独立した各キャリア周波数が、１つのみのコンテンツを搬送する１つのチャネルを構成するということが理解されるべきである。任意の与えられた加入者の位置において、キャリアｆ１、ｆ２、．．．、ｆＮを含む信号の一部が、指向性カプラ２２などによって送信パス２０から除去され、図１において２４により示される加入者位置に搬送される。加入者側では、この信号は、テレビ受信機２６に直接利用可能にされるか、あるいは、システムのキャリア周波数が従来のテレビキャリア周波数と異なる場合又はコンテンツの復号化が所望される場合には、当該信号は受信機／デコーダ３０を介しテレビ受信機２６に利用可能にされる。受信機／デコーダ３０は、１つのみのチャネルしか受信せず、従って、ケーブルから１つのみのチャネルしか受信しない。
【０００４】
位置２４にいる加入者が制限されていないコンテンツの視聴を所望するとき、テレビ受信機２６又は受信機／デコーダ３０の受信機部分は、送信パス２０において送信される周波数範囲の適切な１つ（所望のチャネル）を選択するよう設定され、コンテンツはさらなるものなく視聴又は聴取されるかもしれない。
【０００５】
加入者が条件付きの限定がされたコンテンツを使用することを所望する場合、テレビ受信機（又はモニタ）２６又は受信機／デコーダ３０の受信機部分は、送信パス２０により送信される周波数パスの適切な１つを選択するよう設定される。しかしながら、これは、当該コンテンツを使用することを許可するには不十分である。条件付き宣言されたコンテンツを使用するため、加入者は、自分の受信機／デコーダにおいて復号化アルゴリズムを実行するのに使用するための適切な復号化キーを取得する必要がある。従来タイプの店におけるカードの購入など、このキーを取得する多数の方法が知られている。キーを取得する１つの既知の方法は、加入者が電話を使ってケーブル会社と提携しているサービスセンターに電話をし、自らを認証し、適切な支払を行い、図１の送信パス２０を介しキーを電子的に受信することである。
【０００６】
一部の人々は、コンピュータに付属するメモリに符号化されたコンテンツを格納し、コンピュータの処理パワーを使用して符号化キー又はアルゴリズムを決定しようとすることによって、条件付き制限されたコンテンツの使用を取得しようとするかもしれない。図１において、位置２４にある受信機／デコーダ３０から受信した信号のサンプルが、コンピュータ３４に利用可能にされる。パス２０を介し送信されたキー、受信機／デコーダ３０の受信機部分によって受信された符号化された信号又はその両方を格納するため、コンピュータ３４が使用されてもよい。格納されているキー及び／又は信号によって、それ又はそれらは、符号化アルゴリズム、キー又はその両方を抽出しようとするため、コンピュータアルゴリズムによって操作することが可能である。当該情報が利用可能となると、暗号化された情報コンテンツが、コンテンツに対して料金を支払うことなく、位置２４の加入者に利用可能となる。
【０００７】
許可されていない使用に対する情報の保護について改良された方法が所望される。
［発明の概要］
本発明の一特徴による方法は、第１チャネルを介し第１位置から第２位置に第１情報をセキュアに送信するためのものである。本方法は、第１及び第２位置において、第１情報から独立した第２及び付加情報を取得するステップと、第１及び第２位置の両方において第２及び付加情報を時間整列するステップとを有する。第１位置において、第１情報は、送信用の送信機信号を生成するため、第１関数によって第２及び付加情報と置換され、結果として得られる信号は、第１信号チャネルを介し第１位置から第２位置に送信される。第２位置において、送信機信号は、第１情報を復元するため、第１関数のリバースである第２関数により第２及び付加情報と関連付けされる。本方法の１つのモードでは、第１及び第２関数は、ＸＯＲ関数である。第２位置において第２及び付加情報を取得するステップは、各独立した信号チャネルを介し第２及び付加情報を受信するステップを有するようにしてもよい。本方法の特に効果的なバージョンでは、第２及び付加情報の少なくとも一部は、第１位置から第２位置に送信される。第２及び付加情報の少なくとも一部を第１位置から第２位置に送信するステップは、第１信号チャネルから独立した少なくとも１つの信号チャネルを介し実行されてもよい。第２及び付加情報の少なくとも一部を第１位置から第２位置に送信するステップは、第２及び付加情報のそれぞれに対して、第１信号チャネルから独立した１つの信号チャネルを介し第２及び付加情報のそれぞれを送信することによって実行されてもよい。本方法の特に効果的なバージョンでは、第２位置において、送信機信号を第２関数により第２及び付加情報に関連付けるステップは、第１信号チャネルを含み、第２及び付加情報のそれぞれに対する複数のチャネルを同時に受信可能な受信機と共に実行される。
【０００８】
本発明の一特徴による方法は、第１位置から第２位置に第１及び第２情報をセキュアに送信するためのものである。本方法は、処理された第１情報を生成するため、少なくとも第２情報により第１情報を処理するステップを有する。第２情報は、処理された第２情報を生成するため、少なくとも第１情報により処理される。処理された第１及び第２情報は、それぞれ独立した第１及び第２物理チャネルを介し第２位置に別々に送信される。第２位置において、処理された第１情報は、少なくとも処理された第２情報を使用することにより逆処理される。処理された第２情報の逆処理は、少なくとも処理された第１情報を使用することにより実行されてもよい。
【０００９】
本方法の特定のモードでは、第２位置において、少なくとも処理された第２情報を使用することにより処理された第１情報を逆処理するステップは、独立した第１チャネルから処理された第１情報を独立に受信し、独立した第２チャネルから処理された第２情報を独立に処理するステップを有する。本方法の好適なモードでは、この後者のステップは、集積回路において、又はそれによって実行される。
【００１０】
本発明の他の特徴によると、独立した第１物理チャネルを介し処理された形式により受信される第１情報と、独立した第２物理チャネルを介し第２情報とを少なくとも同時に復元する受信機が提供される。第１物理チャネルを介し送信される第１情報は、処理された又は符号化された情報を生成するため、第２情報と共に送信前に処理される。第２情報は、独立した第２チャネルを介し受信機に送信される。受信機は、第１物理チャネルから処理された第１情報を受信する手段を有し、また、独立した第２チャネルから第２情報を受信する手段を有する。処理手段は、処理された第１情報から第１情報を抽出するため、第２情報と共に処理された第１情報を処理する。第２チャネルを介し送信される情報が処理された第２情報を構成するため符号化される場合、処理手段はさらに、元の第２情報を抽出し、このため、受信機はさらに、第１情報による処理前に、第２情報の形式に関する情報を抽出するため、第２情報により処理された第１情報を処理するさらなる処理手段を有する。
【００１１】
当該受信機の好適な実施例では、記載された機能のすべて又は大部分が、１つの集積回路内に含まれる。
［発明の説明］
本発明は、ケーブルテレビシステムの場合、分離した（周波数分離された）チャネルに対応する複数の物理チャネルを使用する。本発明の一特徴によると、１つのチャネルにより送信される条件付き制限されたコンテンツの符号化は、システムの他のチャネルにより送信される情報を利用することによって実行される。図２では、ケーブルテレビシステム２１０は、図１のシステムと類似している。図１のものと比較して図２の構成との間の顕著な相違点は、図１のキー生成装置１４ａ、．．．、１４Ｎが図２の構成において使用されていないということである。代わりに、各エンコーダ１４ａ、．．．、１４Ｎはそれの符号化ストリームとして他のチャネルの情報コンテンツを受信する。より詳細には、図１の構成において、第１エンコーダ１２ａは、それの符号化信号入力ポート１２ａｉにおいて、クリア情報コンテンツＮを受信し、第Ｎエンコーダ１２Ｎは、それの符号化信号入力ポート１２Ｎｉにおいてクリア情報コンテンツ１を受信する。
【００１２】
図１の構成と同様に、エンコーダ１２ａからの符号化された情報コンテンツ１’は、アップコンバートされ、合成装置１８によって送信パス２０に周波数ｆ１により印加される。独立して、クリア、すなわち符号化されていないコンテンツ２がアップコンバートされ、送信パス２０上で周波数ｆ２において利用可能にされ、エンコーダ１２Ｎの符号化されたコンテンツＮ’は、アップコンバータＮによりアップコンバートされ、送信パス上で周波数ｆＮにおいて利用可能とされる。
【００１３】
図２の加入者位置２４において、送信パス２０からの合成された信号は、指向性カプラ２２により利用可能とされる。図１の構成と異なり、図２の受信構成２３０は、各々が１つの独立した物理チャネルからコンテンツを受信することが可能な複数の受信機２４０ａ、２４０ｂ、．．．、２４０Ｍを含むセット２４０を有する。受信構成２３０の各受信機の個数は、符号化を実行するため使用されるチャネル数に依存する。従って、図２に示されるような構成では、エンコーダ１２ａは、コンテンツチャネル３からの情報によりコンテンツチャネル１を符号化し、エンコーダ１２Ｎは、コンテンツチャネル１からの情報によってコンテンツチャネルＮを符号化する。従って、情報の１つのみの追加チャネルしかコンテンツ１又はＮを復号するのに必要でなく、従って、２つの受信機２４０ａと２４０ｂ（又は２４０ａ、２４０Ｍ又は２つの受信機の他の何れかのセット）しかコンテンツの２つのチャネルを生成するのに必要でない。コンテンツチャネル１の情報が他の５又は１０のチャネルからの情報によって符号化される場合、図２の受信構成２３０は、それぞれ６又は１１の受信機を要求するであろう（コンテンツチャネルのための１つと、符号化情報のための５又は１０）。
【００１４】
受信構成２３０の各受信機のセット２４０の所望される個数の受信機からの符号化されたコンテンツは、２４２により示されるボックスとして示されるデコーダに印加される。デコーダボックス２４２は、コンテンツ１などのコンテンツの少なくとも１つを復号する。それは、特に図２に示される符号化構成において、２つのコンテンツを復号するのに求められる情報を利用可能にする。すなわち、チャネル１のコンテンツがコンテンツＮにより符号化され、コンテンツＮがコンテンツチャネル１により符号化されるため、コンテンツの双方の符号化されたチャネルの受信は、デコーダ２４２が両方の情報チャネルを復号することを可能にする。少なくとも１つの復号化されたコンテンツは、図２のデコーダ２４２からテレビ受信機２６に利用可能にされる。
【００１５】
図２の構成において、符号化された信号又は「キー」を抽出することを所望する悪意ある加入者には、符号化実行方法を知らないという困難さが与えられる。第２に、当該加入者は、自分のコンピュータ３４の接続のため、２つの可能な接続のみへのアクセスを有する（受信構成２３０を分解することなく）。当該加入者が自分のコンピュータと接続可能な第１の可能なポイントは、受信構成２３０の出力ターミナル２３０ｏにおいてである。当該位置において、加入者は、支払をし、復号化情報が受信構成２３０にダウンロードされている場合には、符号化されたコンテンツ又は復号化されたコンテンツの利用が可能となる。おそらく、符号化されたコンテンツは当該加入者にとって役に立たない。加入者は支払をすると、「キー」を抽出しようとするインセンティブを有しない。理想的な状況では、何れのチャネルが符号化に関連するかに関する情報である「キー」が、プログラム毎に変化する可能性があり、現在の復号化「キー」は次に続くプログラムにとって有用ではない。
【００１６】
加入者が確立可能な第２の可能な接続は、ケーブル２０を介し送信されるすべての分離した物理チャネルとの３３として示されるさらなる指向性カプラ又はタップを介するものである。これらの物理チャネルは、分離したキャリアの形式により明らかにされる。加入者は受信機を有するかもしれないが、それは図２の受信機構成２３０などのマルチチャネル受信機ではないかもしれない。この結果、図１のタップ３３に接続されるシングルチャネル受信機（ＲＸ）３５によってでさえ、そして解析のためコンピュータに利用可能とされる符号化された情報の１つのチャネルによって、符号化を検出するため解析を行うことは非常に困難となるであろう。なぜなら、関連情報のいくつかは他のチャネル上にあり、図２のコンピュータ３４に利用可能ではないためである。
【００１７】
様々なコンテンツチャネルを符号化するための１つの可能な方法は、排他的論理和（ＸＯＲ）処理によってである。複数の情報コンテンツを用いて可能な符号化の一例として、４つの情報コンテンツストリームＡｔ、Ｂｔ、Ｃｔ及びＤｔを考える。情報ビットストリームＡｔは、ストリームＡｒ＝Ａｔ  ＸＯＲ  Ｃｔと置換され、ビットストリームＢｔは、Ｂｒ＝Ａｔ  ＸＯＲ  Ｂｔと置換され、ビットストリームＣｔは、Ｃｒ＝Ｂｔ  ＸＯＲ  Ｃｔ  ＸＯＲ  Ｄｔと置換され、ビットストリームＤｔは、Ｄｒ＝Ａｔ  ＸＯＲ  Ｄｔと置換される。上述のように、符号化に用いられるコンテンツは、時間毎に変化する可能性があり、これは、ＸＯＲ方法を変更することによって本例では実現可能である。
【００１８】
図２の受信機構成２３０では、デジタルパケットが、例えば、異なる周波数による受信機フィルタとケーブルシステムのグループ遅延の相違により発生する可能性がある到着時間の相違を補償するため適切に時間整列される。時間整列されると、オリジナル情報コンテンツは、
オリジナルビットストリームＡｔ＝Ａｒ  ＸＯＲ  Ｂｒ  ＸＯＲ  Ｃｒ  ＸＯＲ  Ｄｒ、
オリジナルビットストリームＢｔ＝Ａｒ  ＸＯＲ  Ｃｒ  ＸＯＲ  Ｄｒ、
オリジナルビットストリームＣｔ＝Ｂｒ  ＸＯＲ  Ｃｒ  ＸＯＲ  Ｄｒ、
オリジナルビットストリームＤｔ＝Ａｒ  ＸＯＲ  Ｂｒ  ＸＯＲ  Ｄｒ、
によって抽出又は再構成される。ＸＯＲ演算の特徴が、各ステップが実行される順序が結果に影響を与えないということであることに留意すべきである。
【００１９】
同様のアルゴリズムが、さらなるセキュリティを提供するため、トランスポンダアプリケーションを介する前に、又はその後に（又はその両方）、１つのストリームにおいて時間を介し利用可能である。
【００２０】
いくつかのチャネルはクリアにより送信可能であるが、他のビットストリームに情報を隠し、又は符号化するのに利用可能であるということに留意されたい。これは、図３において１つの形式により示される。図３において、エンコーダ１２ａは、符号化のためコンテンツ１を受信し、第１アップコンバータ１６ａへの印加のために処理されたコンテンツ１’を生成するため、コンテンツ１の処理のためにそれの符号化信号入力ポート１２ａｉにおいてコンテンツ２を受信する。情報コンテンツ２は、符号化することなくアップコンバータ１６ｂに印加され、これによりクリアにより送信される。
【００２１】
クリアにより一部の情報を送信するが、それを用いて情報を隠す他の例として、Ａｔ＝Ａｒ及びＢｔ＝Ｂｒがクリアにより送信されると仮定する。そのとき、送信されたビットストリームを、
Ｃｒ＝Ａｔ  ＸＯＲ  Ｃｔ  ＸＯＲ  Ｂｔ、及び
Ｄｒ＝Ａｔ  ＸＯＲ  Ｃｔ  ＸＯＲ  Ｄｒ、
とすることによって、符号化を実行することができる。
【００２２】
図２の受信構成２３０は、所望のビットストリームを、
オリジナルビットストリームＡｔ＝Ａｒ、
オリジナルビットストリームＢｔ＝Ｂｒ、
オリジナルビットストリームＣｔ＝Ａｒ  ＸＯＲ  Ｂｒ  ＸＯＲ  Ｃｒ、及び
オリジナルビットストリームＤｔ＝Ｂｒ  ＸＯＲ  Ｃｒ  ＸＯＲ  Ｄｒ、
として再構成する。
【００２３】
通常は時間を介し使用される誤り訂正コードは、エラー制御とセキュリティの両方のためトランスポンダ又は物理チャネルを介し利用可能である。
【００２４】
図４は、デジタル衛星データ送信システムにおけるロジックフローを示す。図４に示されるように、情報はパス又はノード４１０を介しトランスポートフォーマッタ（図示せず）からＲｅｅｄ−Ｓｏｌｏｍｏｎタイプのエンコーダを表すブロック４１２に送信される。符号化後、情報はパス又はノード４１４を介しブロック４１６として示されるバイトインタリーバに送信される。このインタリーブされた情報は、パス又はノード４１８を介しブロック４２０として示される畳み込みエンコーダに送信される。この畳み込み符号化された情報は、パス又はノード４２２を介しＱＰＳＫ（Ｑｕａｄｒａｔｕｒｅ  Ｐｈａｓｅ  Ｓｈｉｆｔ  Ｋｅｙｅｄ）タイプの変調装置に送信される。変調された情報は、ブロック４２６によって示されるような衛星にアップリンクされ、ＱＰＳＫ復調装置４２８にダウンリンクされる。復調装置４２８からの復調された情報は、パス又はノード４３０を介し畳み込みデコーダ４３２に印加される。ブロック４３２からの復号化された情報は、パス又はノード４３４を介しブロック４３６として示されるバイトデインタリーバに印加される。デインタリーバ４３６からのインタリーブ解除された情報は、パス又はノード４３８を介しＲｅｅｄ−Ｓｏｌｏｍｏｎタイプのものであるかもしれないさらなるエンコーダブロック４４０に印加される。当該情報は、パス又はノード４４２を介しトランスポートアンフォーマッタ（図示せず）に向けてエンコーダ４４０から送られる。パス又はノード４１０、４１４、４１８及び４２２は、マルチチャネル又はチャネル間依存性がシステムに導入されるかもしれない相互に異なる位置を表し、パス又はノード４３０、４３４、４３８及び４４２は、チャネル間依存性が除去され、独立したチャネルビットが取得されるかもしれない相互に異なる位置を表す。
【００２５】
図５は、送信機と受信機部分を含む本発明の一特徴による通信システム全体の簡単化されたブロック図である。図５において、セキュアにされるビットＩ０は、パス５１０を介しロジック機能ブロック５２０とパケット整列ブロック５１６に印加される。他のデータストリームからのさらなるビットＩ１及びＩ２が、それぞれパス５１２と５１４を介しパケット整列ブロック５１６と送信機（ＸＭＴＲ）５２４及び５２６に印加される。パケット整列ブロック５１６は、時間内にパケットＩ１とＩ２を整列し、あるいはそれらをパケットＩ０と同期させ、Ｉ０’情報を生成するため、情報Ｉ１とＩ２によりパケットＩ０を符号化するため、当該パケットを機能ブロック５２０に印加する。符号化されたＩ０’パケットは、送信機ブロック５２２に印加される。送信機５２２、５２４及び５２６は、送信される信号を生成する。Ｉ０’、Ｉ１及びＩ２信号は、それぞれチャネル０、１及び２のパス５２８、５３０及び５３２を介し受信機（ＲＣＶＲ）５３４、５３６及び５３８に送信される。受信機５３６と５３８は、それぞれＩ１とＩ２情報を復元する。受信機５３４は、符号化されたＩ０’情報を復元する。復元されたＩ０’、Ｉ１及びＩ２情報は、受信した各情報パケットを整列するブロック５５０として示されるパケット整列機能に印加される。整列されたＩ０’、Ｉ１及びＩ２情報パケットは、Ｉ０情報を抽出する復号化ブロック５５２に印加される。
【００２６】
本発明の使用は、復号化「スマートカード」からの入出力（ＩＯ）信号など、容易に取得可能な信号と共に１つの物理チャネルからの１つのビットストリームをキャプチャする「侵害者」が、セキュリティ手段をリバースエンジニアリングすることを困難にする。本発明は、同時に又は時間的に重複して配信される物理チャネルの（侵害者にとって）未知のセットからのビットが、処理を実行するために受信され、解析のために格納されねばならないという理由のため、この技術を困難なものにする。侵害者がすべての物理チャネルに対するアクセスを何れかの方法により取得しようとしても、多数の（おそらく４３億の）依存性セットの何れが所与のセキュアにされたチャネルに印加するか決定する必要がある。依存性セットを有する場合、依存関係を特定する必要が依然として存在する（実施例ではＸＯＲ構成）。
【００２７】
受信機構成（図２の２３０）が集積回路又は関連する集積回路グループの形式をとる場合、侵害者が直面する困難さは増大する。なぜなら、侵害者の解析に有用な信号の多くは、ＩＣ又はＩＣセットの何れのターミナルにも現れず、内部的に「消費される」ためである。
【００２８】
本発明のアプローチは、現在は通常は使用されない技術的構成に基づくものであり、従っておそらく周知ではない。この結果、本発明による方法の実現は、潜在的な侵害者への警告を回避するため、誇示することなく、又は「内密な」方法により実現することが可能である。
【００２９】
また、複数の同時的な物理チャネルの使用は、別々のチャネルによって（ａ）コンテンツ及び（ｂ）従来の符号化又は暗号化のためのキー情報を送信するのに利用可能であり、この結果、複数の物理チャネルへのアクセスが、関連する情報を抽出しようとするため必要である。
【００３０】
当業者は、処理された信号を生成するため、コンテンツ複数のチャネルの処理が、多数の可能な方法により実現することが可能であり、そのうちの１つのみが説明されたＸＯＲ処理であるということを知っている。一般に、チャネル間依存性は、Ｎ−入力と１−出力ロジック関数Ｆにより導入され、Ｎ−入力と１−出力ロジック関数Ｇにより除去されてもよい。ここでは、ＦとＧは、Ｉ０＝Ｇ（Ｆ（Ｉ０，Ｉ１，Ｉ２，．．．，Ｉｎ），Ｉ１，Ｉ２，．．．，Ｉｎ）が恒等式となるようなものである。Ｆ＝（Ｉ０  ＸＯＲ  Ｈ（Ｉ１，Ｉ２，．．．，Ｉｎ））に対して、Ｆ＝Ｇとなる。ただし、Ｈは任意のｎ−変数ロジック関数である。本発明に関して、分離した物理チャネルが電磁的送信（テレビ、ラジオなど）に関する周波数分離によって、又は時分割多重システムにおける分離したパケットタイミングによって、又は符号分割多重化に関する分離した直交符号によって実現されてもよい。
【００３１】
本発明の一特徴による方法は、第１チャネル（５２０，５２２，５２８，５３４）を介し第１位置（５０８）から第２位置（５２５）に第１情報（Ｉ０）をセキュアに送信するためのものである。本方法は、第１位置（５０８）及び第２位置（５２５）において、第１情報から独立した第２情報（Ｉ１）と付加情報（Ｉ２）を取得するステップと、第１位置（５０８）と第２位置（５２５）の両方において第２情報（Ｉ１）と付加情報（Ｉ２）を時間整列するステップとを有する。第１位置（５０８）では、第１情報（Ｉ０）は、送信用の送信機信号（Ｉ０’）を生成するため、第１関数（Ｆ（Ｉ０，Ｉ１，Ｉ２））により第２情報（Ｉ１）と付加情報（Ｉ２）と関連し、結果として得られる信号（Ｉ０’）が、第１信号チャネル（５２８）を介し第１位置（５０８）から第２位置（５２５）に送信される。第２位置（５２５）において、送信機信号（Ｉ０’）は、第１情報（Ｉ０）を復元するため、第１関数（Ｆ（Ｉ０，Ｉ１，Ｉ２））のリバースである第２関数（Ｇ（Ｉ０，Ｉ１，Ｉ２））により第２情報（Ｉ１）と付加情報（Ｉ２）に関する。本方法の１つのモードでは、第１関数と第２関数は、ＸＯＲ関数である。第２位置（５２５）において第２情報（Ｉ１）と付加情報（Ｉ２）を取得するステップは、独立した各信号チャネル（５１２，５２４，５３０，５３６；５１４，５２６，５３２，５３８）を介し第２情報（Ｉ１）と付加情報（Ｉ２）を受信するステップを有するようにしてもよい。本方法の特に効果的なバージョンでは、第２情報（Ｉ１）と付加情報（Ｉ２）の少なくとも一部が、第１位置（５０８）から第２位置（５２５）に送信される。第２情報（Ｉ１）と付加情報（Ｉ２）の少なくとも一部を第１位置（５０８）から第２位置（５２５）に送信するステップは、第１信号チャネル（５２０，５２２，５２８，５３４）から独立した少なくとも１つの信号チャネル（５１２，５２４，５３０，５３６；５１４，５２６，５３２，５３８）を介し実行されてもよい。第２情報（Ｉ１）と付加情報（Ｉ２）の少なくとも一部を第１位置（５０８）から第２位置（５２５）に送信するステップは、第２情報と付加情報のそれぞれについて（Ｉ１については、５１２，５２４，５３０及び５３６；Ｉ２については、５１４，５２６，５３２及び５３８）、第１信号チャネルから独立した１つの信号チャネルを介し第２情報（Ｉ１）と付加情報（Ｉ２）のそれぞれを送信することによって実行されてもよい。本方法の特に効果的なバージョンでは、第２位置（５２５）において、送信機信号（Ｉ０’）を第２情報（Ｉ１）と付加情報（Ｉ２）とを第２関数（Ｇ（Ｉ０，Ｉ１，Ｉ２））により関連付けるステップが、第１信号チャネルを含む複数のチャネルを同時に受信することが可能な受信機と協力して実行され、これらの信号チャネルは、第２情報と付加情報のそれぞれに対するものである。
【００３２】
本発明の一特徴による方法は、第１位置（８）から第２位置（２２４）に第１情報と第２情報をセキュアに送信するためのものである。本方法は、処理された第１情報（１’）を生成するため、少なくとも第２情報（Ｎ）により第１情報（１）を処理するステップを有する。第２情報（Ｎ）は、処理された第２情報（Ｎ’）を生成するため、少なくとも第１情報（１）により処理される。処理された第１情報（１’）と第２情報（Ｎ’）は、それぞれ独立した第１物理チャネル（ｆ１）と第２物理チャネル（ｆＮ）を介し第２位置（２２４）に別々に送信される。第２位置（２２４）において、処理された第１情報（１’）は、少なくとも処理された第２情報（Ｎ’）を用いて逆処理される。処理された第２情報（Ｎ’）の逆処理は、少なくとも処理された第１情報（１’）を用いて実行されてもよい。
【００３３】
本方法の特定のモードでは、第２位置（２２４）において、少なくとも処理された第２情報（Ｎ’）を用いて処理された第１情報（１’）を逆処理するステップは、独立した第１チャネル（ｆ１）から処理された第１情報（１’）を独立に受信し、独立した第２チャネル（ｆＮ）から処理された第２情報（Ｎ’）を独立に受信するステップを有する。本方法の好適なモードでは、この後者のステップは、集積回路によって実行される。
【００３４】
本発明の他の特徴によると、独立した第１物理チャネル（ｆ１）を介し処理された形式により受信される第１情報（１）と、独立した第２物理チャネル（ｆ２）を介し第２情報を少なくとも同時に復元する受信機（２３０）が提供される。第１物理チャネル（ｆ１）を介し送信される第１情報（１）は、処理された又は符号化された情報（１’）を生成するため、第２情報（２）と共に送信する前に処理される。第２情報（Ｎ’）は、独立した第２チャネル（ｆＮ）を介し受信機（２３０）に送信される。受信機は、第１物理チャネル（ｆ１）から処理された第１情報（１’）を受信する手段を有し、また、独立した第２チャネル（ｆＮ）から第２情報（Ｎ）を受信する手段を有する。処理手段（２４２）は、処理された第１情報（１’）から第１情報（１）を抽出するため、第２情報（Ｎ）と共に処理された第１情報（１’）を処理する。第２チャネル（ｆＮ）を介し送信される情報が、処理された第２情報（Ｎ’）を構成するよう符号化される場合、処理手段（２４２）はまた、オリジナルの第２情報（コンテンツＮ）を抽出し、このため、受信機（２３０）は、第１情報（１）による処理前に、第２情報（Ｎ）の形式に関連する情報を抽出するため、第２情報（Ｎ’）により処理された第１情報（１’）を処理するさらなる処理手段を有する。
【００３５】
当該受信機の好適な実施例では、記載された機能のすべて又は大部分が、１つの集積回路内に含まれる。
【図面の簡単な説明】
【００３６】
【図１】図１は、コンピュータとのケーブル信号の一加入者の接続を有する従来技術のものと類似した「ケーブルテレビ」システムの簡単化されたブロック図である。
【図２】図２は、本発明に関する接続を有し、図１のものと類似したシステムケーブルテレビシステムの簡単化されたブロック図である。
【図３】図３は、図２の一部についての他の接続構成を表す簡単化されたブロック図である。
【図４】図４は、デジタル衛星データ送信システムにおけるロジックフローを示す。
【図５】図５は、送信機と受信機部分を含む本発明の一特徴による通信システム全体の簡単化されたブロック図である。
【図１】
2007528667.tif 000003
【図２】
2007528667.tif 000004
【図３】
2007528667.tif 000005
【図４】
2007528667.tif 000006
【図５】
2007528667.tif 000007
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
プログラム信号を送信する方法であって、
前記プログラム信号を受信するステップと、
第２プログラム信号を受信するステップと、
前記第２プログラム信号と第１関数とを用いて前記プログラム信号を符号化するステップと、
前記符号化されたプログラム信号を第１送信チャネルを介し送信するステップと、
前記第２プログラム信号を前記第１送信チャネルから独立した第２送信チャネルを介し送信するステップと、
を有することを特徴とする方法。
【請求項２】
請求項１記載の方法であって、さらに、
前記プログラム信号を符号化するステップの前に、前記プログラム信号と前記第２プログラム信号とを時間整列するステップを有することを特徴とする方法。
【請求項３】
請求項１記載の方法であって、
前記第１関数は、ＸＯＲ関数であることを特徴とする方法。
【請求項４】
請求項１記載の方法であって、
前記符号化されたプログラム信号を送信するステップは、前記符号化されたプログラム信号をアップコンバートし、異なる送信チャネル上の複数のプログラム信号と前記アップコンバートされた信号を合成する合成装置に前記アップコンバートされた信号を提供することを特徴とする方法。
【請求項５】
請求項１記載の方法であって、さらに、
第３プログラム信号を受信するステップを有し、
前記符号化するステップは、第１期間中に前記第２プログラム信号と前記第１関数とを用いて前記プログラム信号を符号化し、第２期間中に前記第３プログラム信号と前記第１関数とを用いて前記プログラム信号を符号化する、
ことを特徴とする方法。
【請求項６】
請求項５記載の方法であって、
前記符号化するステップは、前記第２プログラム信号と前記第３プログラム信号とを用いて前記符号化を周期的に変更することを特徴とする方法。
【請求項７】
請求項１記載の方法であって、さらに、
前記プログラム信号と前記第１関数とを用いて前記第２プログラム信号を符号化し、前記第１送信チャネルから独立した第２送信チャネルを介し前記符号化された第２プログラム信号を送信するステップを有することを特徴とする方法。
【請求項８】
当該複数の受信機のそれぞれに関連する各自の独立したチャネルから複数のプログラム信号を同時に受信することが可能な複数の受信機と、
前記複数の受信機に接続され、前記第１プログラム信号を復号化するため、第１関数を用いて第１送信チャネルから受信した符号化された第１プログラム信号と、前記第１送信チャネルから独立した第２送信チャネルから受信した第２プログラム信号とを処理するデコーダと、
を有することを特徴とする受信装置。
【請求項９】
請求項８記載の受信装置であって、
前記デコーダは、前記符号化された第１プログラム信号の復号化前に、前記符号化された第１プログラム信号を前記第２プログラム信号に時間整列する手段を有することを特徴とする受信装置。
【請求項１０】
請求項８記載の受信装置であって、
前記デコーダは、第１期間中に前記第２プログラム信号と前記第１関数とを用いて前記符号化された第１プログラム信号を復号化し、第２期間中に前記第２プログラム信号と第２関数とを用いて前記符号化された第１プログラム信号を復号化することを特徴とする受信装置。
【請求項１１】
請求項８記載の受信装置であって、
前記デコーダは、第１期間中に第２送信チャネルから受信した前記第２プログラム信号と前記第１関数とを用いて前記符号化された第１プログラム信号を復号化し、第２期間中に前記第１送信チャネルから独立した第３送信チャネルから受信した第３プログラム信号を用いて前記符号化された第１プログラム信号を復号化することを特徴とする受信装置。
【請求項１２】
請求項８記載の受信装置であって、
前記デコーダは、前記第２プログラム信号と前記第３プログラム信号とを用いて前記復号化を周期的に変更することを特徴とする受信装置。
【請求項１３】
請求項８記載の受信装置であって、
前記第２プログラム信号が符号化され、
前記デコーダは、前記復号された第１プログラム信号と第２関数とを用いて前記第２プログラム信号を復号化する、
ことを特徴とする受信装置。
【請求項１４】
独立した各自の送信チャネルを介し送信される複数のプログラム信号を同時に受信する手段と、
前記受信手段に接続され、第１プログラム信号を復号化するため、前記第１送信チャネルから独立した第２送信チャネルから受信した第２プログラム信号と第１関数とを用いて、前記第１送信チャネルから受信した符号化された第１プログラム信号を処理するデコーダ手段と、
を有することを特徴とする受信装置。
【請求項１５】
請求項１４記載の受信装置であって、
前記デコーダ手段は、前記符号化された第１プログラム信号を復号化する前に、前記符号化された第１プログラム信号を前記第２プログラム信号に時間整列する手段を有することを特徴とする受信装置。
【請求項１６】
請求項１４記載の受信装置であって、
前記デコーダ手段は、第１期間中に前記第２プログラム信号と前記第１関数とを用いて前記符号化された第１プログラム信号を復号化し、第２期間中に前記第２プログラム信号と第２関数とを用いて前記符号化された第１プログラム信号を復号化することを特徴とする受信装置。
【請求項１７】
請求項１４記載の受信装置であって、
前記デコーダ手段は、第１期間中に第２送信チャネルから受信した前記第２プログラム信号と前記第１関数とを用いて前記符号化された第１プログラム信号を復号化し、第２期間中に前記第１送信チャネルから独立した第３送信チャネルから受信した第３プログラム信号を用いて前記符号化された第１プログラム信号を復号化することを特徴とする受信装置。
【請求項１８】
符号化されたプログラム信号を処理する方法であって、
第１送信チャネルを介し前記符号化されたプログラム信号と、前記第１送信チャネルから独立した第２送信チャネルを介し第２プログラム信号とを同時に受信するステップと、
前記第２プログラム信号と第１関数とを用いて前記符号化されたプログラム信号を復号化するステップと、
を有することを特徴とする方法。
【請求項１９】
請求項１８記載の方法であって、さらに、
前記符号化されたプログラム信号を復号化する前に、前記符号化されたプログラム信号と前記第２プログラム信号とを時間整列するステップを有することを特徴とする方法。
【請求項２０】
請求項１８記載の方法であって、
前記復号化するステップは、第１期間中に前記第２プログラム信号と前記第１関数とを用いて前記符号化されたプログラム信号を復号化し、第２期間中に前記第２プログラム信号と第２関数とを用いて前記符号化されたプログラム信号を復号化することを特徴とする方法。
【請求項２１】
請求項１８記載の方法であって、
前記受信するステップは、前記第１送信チャネルから独立した第３送信チャネルを介し第３プログラム信号を同時に受信し、
前記復号化するステップは、第１期間中に前記第２プログラム信号と前記第１関数とを用いて前記符号化されたプログラム信号を復号化し、第２期間中に前記第３プログラム信号と前記第１関数とを用いて前記符号化されたプログラム信号を復号化する、
ことを特徴とする方法。
【請求項２２】
請求項１８記載の方法であって、
前記第２プログラム信号が符号化され、
前記復号化するステップは、前記符号化されたプログラム信号と前記第１関数とを用いて前記第２プログラム信号を復号化する、
ことを特徴とする方法。
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
プログラム信号を送信する方法であって、
前記プログラム信号を受信するステップと、
第２プログラム信号を受信するステップと、
前記第２プログラム信号と第１関数とを用いて前記プログラム信号を符号化するステップと、
前記符号化されたプログラム信号を第１送信チャネルを介し送信するステップと、
前記第２プログラム信号を前記第１送信チャネルから独立した第２送信チャネルを介し送信するステップと、
を有することを特徴とする方法。
【請求項２】
請求項１記載の方法であって、さらに、
第３プログラム信号を受信するステップを有し、
前記符号化するステップは、第１期間中に前記第２プログラム信号と前記第１関数とを用いて前記プログラム信号を符号化し、第２期間中に前記第３プログラム信号と前記第１関数とを用いて前記プログラム信号を符号化する、
ことを特徴とする方法。
【請求項３】
請求項２記載の方法であって、
前記符号化するステップは、前記第２プログラム信号と前記第３プログラム信号とを用いて前記符号化を周期的に変更することを特徴とする方法。
【請求項４】
請求項１記載の方法であって、さらに、
前記プログラム信号と前記第１関数とを用いて前記第２プログラム信号を符号化し、前記第１送信チャネルから独立した第２送信チャネルを介し前記符号化された第２プログラム信号を送信するステップを有することを特徴とする方法。
【請求項５】
当該複数の受信機のそれぞれに関連する各自の独立したチャネルから複数のプログラム信号を同時に受信することが可能な複数の受信機と、
前記複数の受信機に接続され、前記第１プログラム信号を復号化するため、第１関数を用いて第１送信チャネルから受信した符号化された第１プログラム信号と、前記第１送信チャネルから独立した第２送信チャネルから受信した第２プログラム信号とを処理するデコーダと、
を有することを特徴とする受信装置。
【請求項６】
請求項５記載の受信装置であって、
前記デコーダは、第１期間中に第２送信チャネルから受信した前記第２プログラム信号と前記第１関数とを用いて前記符号化された第１プログラム信号を復号化し、第２期間中に前記第１送信チャネルから独立した第３送信チャネルから受信した第３プログラム信号を用いて前記符号化された第１プログラム信号を復号化することを特徴とする受信装置。
【請求項７】
符号化されたプログラム信号を処理する方法であって、
第１送信チャネルを介し前記符号化されたプログラム信号と、前記第１送信チャネルから独立した第２送信チャネルを介し第２プログラム信号とを同時に受信するステップと、
前記第２プログラム信号と第１関数とを用いて前記符号化されたプログラム信号を復号化するステップと、
を有することを特徴とする方法。
【請求項８】
請求項７記載の方法であって、
前記受信するステップは、前記第１送信チャネルから独立した第３送信チャネルを介し第３プログラム信号を同時に受信し、
前記復号化するステップは、第１期間中に前記第２プログラム信号と前記第１関数とを用いて前記符号化されたプログラム信号を復号化し、第２期間中に前記第３プログラム信号と前記第１関数とを用いて前記符号化されたプログラム信号を復号化する、
ことを特徴とする方法。
【請求項９】
請求項７記載の方法であって、
前記第２プログラム信号が符号化され、
前記復号化するステップは、前記符号化されたプログラム信号と前記第１関数とを用いて前記第２プログラム信号を復号化する、
ことを特徴とする方法。
【国際調査報告】
2007528667.tif 000008
2007528667.tif 000009
2007528667.tif 000010